(57)【要約】      （修正有）【課題】２つの電子回路部分をケーブル内蔵のストラップで接続する携帯端末において，ストラップが引っ張られたり，曲げられたりされた際にケーブルが電子回路から外れないようにしたケーブル内蔵ストラップを提供する。【解決手段】２つの電子回路部分を接続する中空のストラップ３の両端もしくは片端の近傍のストラップ上に切り欠き３ａを設け，ストラップ３の中にケーブル４を通し切り欠き３ａより引き出す第一の手段と，電子回路を内蔵する構成部分の中に梁１ｃを設ける第二の手段を備え，ストラップ３の切り欠き位置３ａでケーブル４を電子回路を内蔵する構成部分の中に引き出し電子回路と接続せしめ，かつストラップ３を梁１ｃを巻くようにして切り欠き位置３ａから端までの部分を折り返し，折り返した部分のストラップ３と重なりあうケーブル４を中に通したストラップ部分の両者を合わせて接着もしくはかしめる。【選択図】図５
0003147300.tif 000002
【実用新案登録請求の範囲】
【請求項１】
電子回路を内蔵する構成部分を複数有し構成部分間の相互の信号をケーブルで接続する携帯型の電子機器において，中空のストラップの両端もしくは片端の近傍のストラップ上に切り欠きを設けストラップの中に前記ケーブルを通し切り欠きより引き出す第一の手段と，前記電子回路を内蔵する構成部分の中に梁を設ける第二の手段を備え，前記ストラップの切り欠き位置で前記ケーブルを前記電子回路を内蔵する構成部分の中に引き出し電子回路と接続せしめ，かつ前記ストラップを前記梁を巻くようにして切り欠き位置から端までの部分を折り返し，折り返した部分の前記ストラップと重なりあうケーブルを中に通したストラップ部分の両者を合わせて接着もしくはかしめることを特徴とするケーブル内蔵ストラップ。
【請求項２】
請求項１の電子機器において，中空のストラップ上に切り欠きを設けストラップの中に前記ケーブルを通し切り欠きより引き出す第一の手段と，前記電子回路を内蔵する構成部分に前記ストラップを通す第１の開口部と第２の開口部と２つの開口部の間に突起部を設ける第二の手段と，角型の筒を備え，前記開口部の１つからストラップを前記電子回路を内蔵する構成部分の中に通しかつ他方の開口部からストラップを電子回路を内蔵する構成部分の外に出しながら前記切り欠きが電子回路を内蔵する構成部分の中に入るようにし，前記切り欠きより前記ケーブルを引き出し電子回路と接続せしめ，前記第１の開口部から入る前記ストラップと前記第２の開口部から出るストラップと前記２つの間にある突起部の３者を前記角型の筒の中に通すことを特徴とするケーブル内蔵ストラップ。
【考案の詳細な説明】
【技術分野】
【０００１】  本考案は，電子回路を内蔵する構成部分を複数有し，構成部分間の相互の信号をケーブルで接続する携帯型の電子機器に適用する。
【背景技術】
【０００２】  半導体技術，無線技術の進展によりデジタル放送は携帯端末で受信可能となり，また歩きながらもしくは電車の中で立ちながらパソコンを使用することも可能となっている。
しかし端末重量はだれもが長時間操作できるほどの軽量化には至っていない。
【考案の開示】
【考案が解決しようとする課題】
【０００３】  携帯端末の軽量化の代替手段として，携帯端末を例えば液晶画面，チャンネル切替え，音量調整などの表示操作部と，ＣＰＵおよび無線機能の本体部の２つに分離し，本体部を首または肩に掛け，表示操作部を胸に下げる手段がある。本体部と表示操作部は相互の信号を通すケーブルで接続することになるが，多くの信号線数を必要とする場合，以下の３つの課題がある。１つはケーブルが太くなり表示操作部を下げるストラップ代わりに使用するには柔軟性に欠ける点である。２つ目は，ケーブルのコネクタと本体部および表示操作部のコネクタの接続（勘合）部分でケーブルに掛かる引っ張りの力を支えようとすると両コネクタの強度対策上コネクタが大きくまた重いものになり小型化軽量化を阻害する。３つ目はケーブルをそのままストラップ代わりに使用した場合，ケーブルの被覆材質でアレルギーを起こす恐れがある点である。
【課題を解決するための手段】
【０００４】  本考案は，ケーブルに例えば平らで柔軟性のあるいわゆるフラットケーブルを採用し，このフラットケーブルを例えば綿製の中空ストラップの中を通すことにより前記の課題を解決する。【０００５】  更にフラットケーブルをストラップの両端の開口部から若干手前の位置にストラップの一部を切り欠き，そこからフラットケーブルを引き出す。一方，本体部および表示操作部にストラップを折り返す梁を設け，切り欠き位置で梁を巻くようにフラットケーブルが通っていない部分を折り返す。そして梁を折り返した後ろでフラットケーブルが通っているストラップとフラットケーブルが通っていない折り返したストラップ部分を重ねて接着またはかしめる。【０００６】  また，表示操作部をストラップの中間部分となるようにしてストラップを表示操作部で折り返すような場合，表示操作部にストラップの折り返しの中板となる突起部分を設け，更に角型の筒を用意し，突起部分を巻いたストラップを角型の筒の中を通すようする。
【考案の効果】
【０００７】  本考案によれば，高機能の比較的重量のある携帯端末を長時間利用することを容易にする。フラットケーブルをＩＤカードまたは携帯電話を下げるのに使用される布製ストラップの中に通すことでストラップのデザインの容易性を活用でき使用者の満足を高めることができる。また本体部および表示操作部にはストラップを折り返す梁もしくは突起部分のみでストラップの固定ができシンプルで安価を実現する。
【考案の実施するための最良の形態】
【０００８】  本考案は，ケーブルに平らで柔軟性のあるフラットケーブルを採用し，このフラットケーブルを綿などの布製の中空ストラップの中を通すことにより，ケーブルの太さ，曲げにくさ，ケーブルコネクタの大きさ，ケーブル被覆によるアレルギーの課題を解決する。
【０００９】  しかしながら本考案では更に新たな課題が発生する。すなわち使用者が本携帯端末を装着，取り外す際にストラップを引っ張ったり，捻ったりすることとなり，ストラップが本体部または表示操作部から外れる恐れと，ストラップの中のフラットケーブルに力が掛かりフラットケーブルが本体部または表示操作部のコネクタから外れる恐れがあり，ストラップの固定方法が課題となる。
ストラップの両端の開口部からフラットケーブルを出す場合，中のフラットケーブルに力が掛からないようにするには，外側のストラップのみを本体部および表示操作部に固定する必要があり構造が複雑かつ大きくなる。
本考案は，フラットケーブルをストラップの両端の開口部から出すのではなく，ストラップの両端から若干手前の位置にストラップの一部を切り欠き，そこからフラットケーブルを引き出す。切り欠き位置から開口部までのストラップ残り部分は切り欠き位置で折り返し，切り欠き位置が新たな両端，開口部となるようにする。更に本体部および表示操作部にストラップを折り返す梁を設け，切り欠き位置で梁を巻くようにフラットケーブルが通っていない部分を折り返す。そして梁を折り返した後ろでフラットケーブルが通っているストラップとフラットケーブルが通っていない折り返したストラップ部分を重ねて接着またはかしめることによりストラップが固定でき，ストラップを引っ張ったり捻ったりした際にもストラップの中のフラットケーブルに力が掛からずフラットケーブルが本体部または表示操作部のコネクタから外れる恐れを解決する。
【００１０】  更に本体部を首または肩に置き表示操作部を胸に下げる場合，２本のストラップで両者を接続するのではなく，表示操作部をストラップの中間部分となるようにしてストラップを表示操作部で折り返す方が使用していない時に表示操作部を胸ポケットに収納しやすい利点がある。この場合の解決の手段は，表示操作部のストラップ折り返し位置にフラットケーブルを引き出す切り欠きを設け，また表示操作部にストラップの折り返しの中板となる突起部分を設け，更に角型の筒を用意する。角型の筒は予めストラップを中に通しておく。ストラップは表示操作部の一方の口から表示操作部の内部に入り，切り欠き部分からフラットケーブルを出し表示操作部のコネクタと接続し，ストラップは表示操作部の他方の口から出る。ストラップは両方の口の間にある平らな突起部分を巻く形となる。正面から見るとフラットケーブルの入ったストラップ，突起部分，フラットケーブルの無いストラップの順に並ぶ。そこで，予めストラップを中に通した角型の筒を下げてきて，前後のストラップ，中間の突起部分を筒の中に押し込めストラップを固定する。前記の解決手段と同様に，ストラップが固定でき，更にストラップの中のフラットケーブルに力が掛かりフラットケーブルが本体部または表示操作部のコネクタから外れる恐れを解決する第２の手段である。
【実施例】
【００１１】  以下，添付図面に従って一実施例を説明する。図１は本考案を適用する携帯端末の一例である。１はＣＰＵ，無線機能を有する本体部，２は液晶画面，チャンネル切替えボタン，音量調整ボタンなどを有する表示操作部，３はストラップである。図１のように２つの電子回路を内蔵する部分から構成する場合，構成部分間の相互の信号をケーブルで接続する必要があり，図１では３のストラップの中にフラットケーブルを通す。【００１２】  図２は中にフラットケーブルを通すストラップ３であり，３ａは３の両端から若干内側の位置からフラットケーブルを出すための切り欠きである。切り欠きは平らなストラップの両面のうち，フラットケーブルを引き出す側の面に作る。若干内側とは，ストラップ３の端から切り欠き３ａまでの長さが折り返し部分となるため，折り返し部分と重なるフラットケーブル内蔵側のストラップ部分を合わせて接着した際に充分な引っ張りに耐える長さを言う。３ｂはストラップ３の中央に設けた切り欠きであり，表示操作部２を１本のストラップの中央に下げる場合に使用する。図３はフラットケーブル４を示したものである。両端に信号線の端子部分が露出したコネクタ部を有する。図４はストラップ３の切り欠き部３ａからフラットケーブル４を引き出し，ストラップ３の端から切り欠きまでが折り返された状態を示している。【００１３】  図５は本体部１の断面でフラットケーブル４を内蔵したストラップ３を固定する方法を示している。１ａは本体部の電子回路基板，１ｂは１ａに搭載するコネクタでありフラットケーブル４と接続する。１ｃは本体部１の中の梁である。ストラップ３は本体部１の開口部から入り切り欠き３ａの位置で梁を巻いて折り返す。切り欠き３ａからフラットケーブル４を出しコネクタ１ｂに接続する。ストラップ３の折り返した部分は上方のストラップ３と重なる部分で接着する。また本体部１の内側に前記重なる部分を挟み込むような突起を設ければ更に固定が確実になる。【００１４】  図６は表示操作部２の一例であり，ストラップ３を通す開口部の間に突起部２ａを設ける。図７は表示操作部２側面から見た断面を示したものであり，ストラップ３を通す開口部２ｂ，２ｃが突起部２ａの前後にある。また２ｄは表示操作部２の電子回路基板であり，２ｅは２ｄの上に搭載するコネクタでありフラットケーブル４と接続する。図８はフラットケーブル４を内蔵したストラップ３を開口部２ｂから表示操作部２の中に入れ，ストラップ３の切り欠き３ａもしくは３ｂからフラットケーブル４を出しコネクタ２ｅに接続する。ストラップ３は他方の開口部２ｃから突起部２ａに沿って引き出す。図９の５は角型の筒であり予め筒の中にストラップ３を通しておき，図１０のように入るストラップ３と出て行くストラップ３と突起部２ａが筒の中に入るようにしてストラップを固定する。図１０で突起部２ａが無い場合を考えると，ストラップ３を表示操作部２の前後にひねったとき，ストラップ３の中のフラットケーブル４に上下方向に力が加わりフラットケーブル４がコネクタ２ｅから外れることが想像できる。
【図面の簡単な説明】
【００１５】
【図１】本考案を適用する携帯端末の一例を示す。
【図２】中にフラットケーブルを通すストラップの一例
【図３】フラットケーブルの一例
【図４】ストラップの切り欠き部からフラットケーブルを引き出し，ストラップの端から切り欠きまでが折り返された状態
【図５】本体部断面でフラットケーブルを内蔵したストラップを固定する方法
【図６】表示操作部の一例
【図７】表示操作部側面
【図８】フラットケーブル内蔵ストラップ表示操作部に接続する例
【図９】ストラップ，突起部を固定する角型の筒の一例
【図１０】角型の筒でストラップ，突起部を固定する例
【符号の説明】
【００１６】１      本体部
１ａ    本体部の電子回路基板
１ｂ    本体部の電子回路基板上のコネクタ
１ｃ    本体部の中の梁
２      表示操作部
２ａ    表示操作部の突起部
２ｂ    表示操作部の一方の開口部
２ｃ    表示操作部の他方の開口部
２ｄ    表示操作部の電子回路基板
２ｅ    表示操作部の電子回路基板上のコネクタ
３      ストラップ
３ａ    ストラップ上の切り欠き（ストラップ両端の近傍）
３ｂ    ストラップ上の切り欠き（ストラップ中央部）
４      フラットケーブル
５      角型の筒
【図１】
0003147300.tif 000003
【図２】
0003147300.tif 000004
【図３】
0003147300.tif 000005
【図４】
0003147300.tif 000006
【図５】
0003147300.tif 000007
【図６】
0003147300.tif 000008
【図７】
0003147300.tif 000009
【図８】
0003147300.tif 000010
【図９】
0003147300.tif 000011
【図１０】
0003147300.tif 000012